(57)【要約】      （修正有）【課題】排水トラップ部の入口に向かう束になった主流を確実に形成して、汚物の排出性能を向上させることができる水洗大便器を提供する。【解決手段】水洗大便器１は、ボウル形状の汚物受け面１６，２０と、上縁に位置し内周面を有するリム部１８と、を備えたボウル部１２と、汚物を排出する排水トラップ管路１４と、洗浄水をリム吐水口からリム部１８の内周面に沿って吐水し旋回流を形成するリム吐水部と、を有し、リム部１８は、内周面がボウル部１２の内側空間に露出し且つオーバーハング形状に形成され、内周面３０が、底面３０ａと、底面３０ａの外端より上方に向かって延びる側面３０ｂと、側面３０ｂの上端より内側空間に向かって延びる上面３０ｃとからなり、ボウル部１２には、リム吐水部から吐水され旋回する洗浄水をリム部１８の上面へと導いてボウル部１２の所定位置に落下させるガイド部が形成されている。【選択図】図３
2015196959.tif 000002
【特許請求の範囲】
【請求項１】
給水源から供給される洗浄水により便器本体を洗浄して汚物を排出する水洗大便器であって、
ボウル形状の汚物受け面と、上縁に位置し内周面を有するリム部と、を備えたボウル部と、
上記ボウル部の下方側に形成され汚物を排出する排水トラップ部と、
洗浄水をそのリム吐水口から上記リム部の内周面に沿ってほぼ水平方向に吐水し旋回流を形成するリム吐水部と、を有し、
上記リム部は、その内周面が上記ボウル部の内側空間に露出し且つ内部空間に向かって上方に延びるオーバーハング形状に形成され、この内周面が、底面と、この底面の外端より上方に向かって延びる側面と、この側面の上端より内側空間に向かって延びる上面とからなり、
上記ボウル部には、上記リム吐水部から吐水され旋回する洗浄水を上記リム部の上面へと導いてボウル部の所定位置に落下させるガイド部が形成されていることを特徴とする水洗大便器。
【請求項２】
上記ガイド部は、上記リム部の内周面の底面から側面に延びる箇所の曲率半径が洗浄水の旋回方向に沿って徐々に大きくなるようにリム部の内周面に形成されたガイド領域である請求項１記載の水洗大便器。
【請求項３】
上記リム部の内周面の上記ガイド領域よりも下流の領域において、上記リム部の内周面が、その底面から側面に延びる箇所の曲率半径が洗浄水の旋回方向に沿って小さくなるように形成されている請求項２記載の水洗大便器。
【請求項４】
上記リム部の内周面の上記ガイド領域よりも下流の領域において、上記リム部の内周面の側面がほぼ鉛直に延びる鉛直面又は上方に向かって内部空間側へと傾斜する傾斜面により形成されている請求項２又は３記載の水洗大便器。
【請求項５】
上記リム部の内周面の上面が、上記ガイド部が形成されている上記ガイド領域において、ほぼ水平に形成されている請求項１乃至４の何れか１項に記載の水洗大便器。
【請求項６】
上記ガイド部は、上記ボウル部の平面視で最小の曲率半径の領域の上流側で最大の曲率半径からより小さい曲率半径となる位置から最小の曲率半径の領域の下流側で小さな曲率半径が最大の曲率半径となる位置までの所定領域に形成されている請求項１乃至５の何れか１項に記載の水洗大便器。
【請求項７】
上記所定領域の左右方向の何れか一方側に上記リム吐水部が形成され、且つ、他方側に上記ガイド部が形成され、上記リム部が、上記リム吐水部から吐水された洗浄水が上記リム部の前方端を経由した後、上記ガイド部へ旋回するように形成されている請求項６記載の水洗大便器。
【請求項８】
上記ガイド部は、上記ボウル部の後方側領域の汚物受け面に形成され、上記リム吐水部から吐水された洗浄水が上記リム部の上面に向かうように傾斜した傾斜面である請求項１に記載の水洗大便器。
【発明の詳細な説明】
【技術分野】
【０００１】
本発明は、水洗大便器に係り、特に、給水源から供給される洗浄水により便器本体を洗浄して汚物を排出する洗い落とし式等の水洗大便器に関する。
【背景技術】
【０００２】
清掃性を向上させるために、便器のリム部を上方に向かってボウル内空間側へと張り出したオーバーハング形状で形成し、洗浄水をリム吐水口から水平方向へ吐水しリム部の内周面を旋回する流れをボウル面に流下させて洗浄する水洗大便器が知られている（特許文献１）。この水洗大便器においては、汚物の排出性能を向上させるために、前方よりトラップに向かう主流を形成するため棚の幅をボウル部の先端部に向かって徐々に狭くしている。また、リム部に設けられたリム吐水口に加え、ジェット吐水口を備え、凹部の溜水部の洗浄水を上下方向に攪拌している。
【先行技術文献】
【特許文献】
【０００３】
【特許文献１】特開２００８−４５２７６号公報
【発明の概要】
【発明が解決しようとする課題】
【０００４】
しかしながら、特許文献１に記載されている水洗大便器においては、ボウル部のボウル面の洗浄性を向上させるために、例えば、ジェット吐水口をなくして、リム吐水口から吐水される洗浄水の旋回流のみによりボウル面を洗浄しようとすると、リム吐水口から吐水される洗浄水の水量が増え、それにより、旋回する洗浄水の勢いが強まり、排水トラップ管路の入口に向かう主流を形成することができなくなる。具体的には、リム部のリム内周面を旋回する洗浄水の勢いが強くなり、ボウル部のボウル面に流下する位置が定まらず、排水トラップ管路の入口に向かう束になった主流を形成することができなくなる。したがって、リム吐水口から吐水される洗浄水によりボウル部のボウル面を洗浄しようとすると、汚物の排出性能が低下するといった問題が発生する。
【０００５】
本発明は、上述した従来技術の問題点を解決するためになされたものであり、リム吐水口から吐水される洗浄水のみによりボウル部を洗浄する場合であっても、排水トラップ部の入口に向かう束になった主流を確実に形成して、汚物の排出性能を向上させることができる水洗大便器を提供することを目的としている。
【課題を解決するための手段】
【０００６】
上記の目的を達成するために、本発明は、給水源から供給される洗浄水により便器本体を洗浄して汚物を排出する水洗大便器であって、ボウル形状の汚物受け面と、上縁に位置し内周面を有するリム部と、を備えたボウル部と、ボウル部の下方側に形成され汚物を排出する排水トラップ部と、洗浄水をそのリム吐水口からリム部の内周面に沿ってほぼ水平方向に吐水し旋回流を形成するリム吐水部と、を有し、リム部は、その内周面がボウル部の内側空間に露出し且つ内部空間に向かって上方に延びるオーバーハング形状に形成され、この内周面が、底面と、この底面の外端より上方に向かって延びる側面と、この側面の上端より内側空間に向かって延びる上面とからなり、ボウル部には、リム吐水部から吐水され旋回する洗浄水をリム部の上面へと導いてボウル部の所定位置に落下させるガイド部が形成されていることを特徴としている。
このように構成された本発明の水洗大便器においては、ボウル部に形成されたガイド部により、リム吐水部から吐水された旋回する洗浄水をオーバーハング形状のリム部の上面に導き、リム部の上面に衝突した洗浄水をボウル部の所定位置へ落下させることができる。この結果、本発明によれば、ボウル部の所定位置から排水トラップ部の入口へと流れる束となった流れ（主流）を形成することができ、それにより、汚物の排出性能が向上する。
【０００７】
本発明において、好ましくは、ガイド部は、リム部の内周面の底面から側面に延びる箇所の曲率半径が洗浄水の旋回方向に沿って徐々に大きくなるようにリム部の内周面に形成されたガイド領域である。
このように構成された本発明においては、ガイド部が、リム部の内周面の底面から側面に延びる箇所の曲率半径が洗浄水の旋回方向に沿って徐々に大きくなるようにリム部の内周面に形成されたガイド領域であるので、旋回する洗浄水の旋回性を大きく阻害することなく、洗浄水をオーバーハング形状のリム部の上面に導き、リム部の上面に衝突した洗浄水をボウル部の所定位置へ落下させることができる。
【０００８】
本発明において、好ましくは、リム部の内周面のガイド領域よりも下流の領域において、リム部の内周面が、その底面から側面に延びる箇所の曲率半径が洗浄水の旋回方向に沿って小さくなるように形成されている。
このように構成された本発明においては、リム部の内周面のガイド領域よりも下流の領域において、リム部の内周面がその底面から側面に延びる領域の曲率半径が洗浄水の旋回方向に沿って小さくなるように形成されているので、旋回する洗浄水の旋回性を大きく阻害することなく、洗浄水をオーバーハング形状のリム部の上面に導き、リム部の上面に衝突した洗浄水をボウル部の所定位置へ落下させることができる。
【０００９】
本発明において、好ましくは、リム部の内周面のガイド領域よりも下流の領域において、リム部の内周面の側面がほぼ鉛直に延びる鉛直面又は上方に向かって内部空間側へと傾斜する傾斜面により形成されている。
このように構成された本発明においては、リム部の内周面のガイド領域よりも下流の領域において、リム部の内周面の側面がほぼ鉛直に延びる鉛直面又は上方に向かって内部空間側へと傾斜する傾斜面により形成されているので、ガイド部によりリム部の上面に衝突した洗浄水をボウル部の所定位置へと確実に落下させることができる。
【００１０】
本発明において、好ましくは、リム部の内周面の上面が、ガイド部が形成されているガイド領域において、ほぼ水平に形成されている。
このように構成された本発明においては、リム部の内周面の上面が、ガイド部が形成されているガイド領域において、ほぼ水平に形成されているので、ガイド部により上面に導かれた洗浄水をボウル部の所定位置に確実に落下させることができる。
【００１１】
本発明において、好ましくは、ガイド部は、ボウル部の平面視で最小の曲率半径の領域の上流側で最大の曲率半径からより小さい曲率半径となる位置から最小の曲率半径の領域の下流側で小さな曲率半径が最大の曲率半径となる位置までの所定領域に形成されている。
このように構成された本発明においては、上述した所定領域にガイド部を設けたので、最小の曲率半径の領域であるボウル部の前方側からトラップ部の入口へと流れる束となった流れを容易に形成することができる。
【００１２】
本発明において、好ましくは、所定領域の左右方向の何れか一方側にリム吐水部が形成され、且つ、他方側にガイド部が形成され、リム部が、リム吐水部から吐水された洗浄水がリム部の前方端を経由した後、ガイド部へ旋回するように形成されている。
このように構成された本発明においては、リム吐水部とガイド部との距離が短いので、吐水されたまとまった束の流れをリム部の上面に導き、衝突させてボウル部の所定位置に落下させることができる。
【００１３】
本発明において、好ましくは、ガイド部は、ボウル部の後方側領域の汚物受け面に形成され、リム吐水部から吐水された洗浄水がリム部の上面に向かうように傾斜した傾斜面である。
このように構成された本発明において、ガイド部がボウル部の後方側領域の汚物受け面に形成され、リム吐水部から吐水された洗浄水がリム部の上面に向かうように傾斜した傾斜面であるので、旋回する洗浄水の旋回性を大きく阻害することなく、旋回する洗浄水をオーバーハング形状のリム部の上面に導き、リム部の上面に衝突した洗浄水をボウル部の所定位置へと落下させることができる。
【発明の効果】
【００１４】
本発明の水洗大便器によれば、リム吐水口から吐水される洗浄水のみによりボウル部を洗浄する場合であっても、排水トラップ部の入口に向かう束になった主流を確実に形成して、汚物の排出性能を向上させることができる。
【図面の簡単な説明】
【００１５】
【図１】本発明の第１実施形態による水洗大便器の壁面に設置されている状態を示す概略図である。
【図２】本発明の第１実施形態による水洗大便器を示す平面図である。
【図３】図２のIII−III線に沿って見た水洗大便器の側面断面図である。
【図４】図２のIV−IV線に沿って見た水洗大便器の正面断面図である。
【図５】図２のV−V線に沿って見た水洗大便器の正面断面図である。
【図６】図２のVI−VI線に沿って見た水洗大便器の正面断面図である。
【図７】図２のVII−VII線に沿って見た水洗大便器の断面図である。
【図８】図２のVIII−VIII線に沿って見た水洗大便器の断面図である。
【図９】図２のIX−IX線に沿って見た水洗大便器の断面図である。
【図１０】本発明の第１実施形態による水洗大便器のボウル部の内側空間から前方に向かって見たリム部を示す図である。
【図１１】本発明の第１実施形態による水洗大便器における洗浄水の流れの様子を示す側方から視た斜視図である。
【図１２】本発明の第１実施形態による水洗大便器における洗浄水の流れの様子を示す上方から視た斜視図である。
【図１３】本発明の第２実施形態による水洗大便器を示す平面図である。
【図１４】図１３のXIV−XIV線に沿って見た水洗大便器の断面図である。
【図１５】図１３のXV−XV線に沿って見た水洗大便器の部分断面図である。
【図１６】図１５のXVI−XVI線に沿って見た水洗大便器の部分断面図である。
【発明を実施するための形態】
【００１６】
次に、添付図面により、本発明の第１実施形態による水洗大便器を説明する。先ず、図１により、本実施形態による水洗大便器の設置状態を説明する。図１は、本発明の第１実施形態による水洗大便器の壁面に設置されている状態を示す概略図である。図１に示すように、符号１は、本実施形態による水洗大便器１を示し、この水洗大便器１は、後述する排水トラップ管路内の水位上昇による落差を利用して汚物を排出する洗い落とし式水洗大便器（ウオッシュダウン式便器）である。なお、本実施形態においては、水洗大便器は、サイホン式水洗大便器等の他のタイプの便器であってもよい。
【００１７】
水洗大便器１は、便器本体２を備え、この便器本体２は、壁４に取り付けられている。壁４の裏側には、洗浄水を貯水する貯水タンク６が取り付けられ、また、壁４の表面には、操作スイッチ８が取り付けられている。この操作スイッチ８をＯＮ操作すると、貯水タンク６内の洗浄水が便器本体２に供給され、便器本体２が洗浄されるようになっている。また、壁４の裏側には、汚物を排出するための排水管１０が設けられ、この排水管１０により、便器本体２からの汚物を外部へ排出するようになっている。
【００１８】
次に、図２乃至図１０により、本実施形態による水洗大便器１を詳細に説明する。図２は本発明の第１実施形態による水洗大便器を示す平面図であり、図３は図２のIII−III線に沿って見た水洗大便器の側面断面図であり、図４は図２のIV−IV線に沿って見た水洗大便器の正面断面図であり、図５は図２のV−V線に沿って見た水洗大便器の正面断面図であり、図６は図２のVI−VI線に沿って見た水洗大便器の正面断面図であり、図７は図２のVII−VII線に沿って見た水洗大便器の断面図であり、図８は図２のVIII−VIII線に沿って見た水洗大便器の断面図であり、図９は図２のIX−IX線に沿って見た水洗大便器の断面図であり、図１０は本発明の第１実施形態による水洗大便器のボウル部の内側空間から前方に向かって見たリム部を示す図である。
【００１９】
図２及び図３に示すように、本発明の第１実施形態による水洗大便器１の便器本体２は、ボウル部１２と、このボウル部１２の底部から連通して延びる排水トラップ管路１４を有する。ボウル部１２は、汚物受け面１６と、この汚物受け面１６の上縁に形成されたリム部１８を備えている。さらに、ボウル部１２の汚物受け面１６は、ボウル形状の上方汚物受け面２０と、この上方汚物受け面２０と排水トラップ管路１４との間に形成された凹部２２を備えている。
【００２０】
排水トラップ管路１４は、ボウル部１２の底部に開口した入口１４ａから斜め上方に延び、最高点１４ｂを通った後、斜め下方に延びて、出口１４ｃに達し、上述した排水管１０（図１参照）に接続されている。水洗大便器１の溜水水位Ｌは、排水トラップ管路１４の最高点１４ｂの高さと等しくなる。
【００２１】
また、便器本体２の後部には、通水室２４が形成され、この通水室２４には、上述した貯水タンク６から洗浄水が供給されるようになっている。この通水室２４は、その前方側がリム部１８まで延び、リム部１８の内部に形成されたリム通水路２６に接続されている。便器本体１を前方から見て、リム部１８の左側の前方領域の内周側には、一つのリム吐水口２８が形成され、上述したリム通水路２６がリム吐水口２８まで延び、洗浄水がリム吐水口２８まで供給されるようになっている。このリム吐水口２８から前方に向けて洗浄水が吐水され、ボウル部１２内において旋回流を形成するようになっている。
【００２２】
次に、図２乃至図６により、水洗大便器１の導水路について説明する。図２乃至図６に示すように、リム部１８の内周面のリム吐水口２８の下流側には、洗浄水を流すための棚形状で且つオーバーハング形状の第１導水路３０が形成されている。具体的には、リム部１８の内周面に形成された第１導水路３０は、底面３０ａと、この底面３０ａの外端より上方に向かって延びる側面３０ｂと、この側面３０ｂの上端より内側空間に向かって延びる上面３０ｃとを備えている。この第１導水路３０は、リム吐水口２８と同じレベルに形成されており、リム吐水口２８の位置（前方から見てボウル部１２の左側前方領域）からボウル部１２の右側の前方領域まで延びている。
【００２３】
また、リム部１８と上方汚物受け面２０の間には、棚形状の第２導水路３２が形成されている。この第２導水路３２は、第１導水路３０の内側に位置し、段差を介して、第１導水路３０より低い位置に設けられている。第２導水路３２は、図２に示されているように、ボウル部１２の前から見て左側の中央から前端を経由して右側の中央まで延びている。また、第２導水路３２は、その長さ方向に沿って、同じ高さ位置（レベル）に形成されている。さらに、上方汚物受け面２０の後方領域には、上述した棚形状の第２導水路３２は形成されず、湾曲形状となっている。
【００２４】
次に、図２、図３、図５、図６により、ボウル部１２の汚物受け面１６の凹部２２について説明する。凹部２２は、平面視でほぼ三角形状であり、前方に向けて先が細くなる先細り形状となっている。凹部２２は、壁面３４と底面３６により形成され、さらに、底面３６は、前方に位置する前方底面３６ａと後方に位置する後方底面３６ｂとを備えている。前方底面３６ａは、後方底面３６ｂに比べて浅くなるように形成されている（図３参照）。また、後方底面３６ｂは、上述した排水トラップ管路１４の入口１４ａと接続されている。
【００２５】
凹部２２の先細り形状の角度θは、後述する縦旋回流Ｖを効果的に形成するために、３５度〜７０度であるのが好ましく、より好ましくは３５度〜６０度であり、最も好ましくは４０度〜５０である。
さらに、図２に示すように、凹部２２の三角形状の後方側は、平面視で円弧形状となっており、後述する横旋回流Ｈが効果的に形成できるようになっている。
【００２６】
次に、図２、図７〜図１０により、リム部１８の内周面である第１導水路３０に形成されたガイド部４０について詳細に説明する。ガイド部４０は、リム吐水口２８から吐水された洗浄水をリム部１８の内周面の第１導水路３０の上面３０ｃへと導いてボウル部１２の凹部２２に向けて落下させるためのものである。
【００２７】
先ず、図２に示すように、ガイド部４０は、便器本体２を前方から見てリム部１８の右側の前方領域の内周面に形成されている。具体的には、図７〜図１０に示すように、ガイド部４０は、リム部１８の内周面である第１導水路３０の底面３０ａから側面３０ｂに延びる箇所の曲率半径（Ｒ１，Ｒ２）が洗浄水の旋回方向に沿って徐々に大きくなるようにリム部１８の内周面にガイド領域４０ａ（Ｘ１）として形成されている。具体的には、ガイド領域４０ａにおいては、図７、図８、図１０に示すように、リム部１８の内周面である第１導水路３０の底面３０ａから側面３０ｂに延びる箇所の曲率半径Ｒが、ほぼゼロから、曲率半径Ｒ１（＝２０ｍｍ）となり、さらに、最大曲率半径Ｒ２（＝４０ｍｍ）まで徐々に大きくなるように変化する。ここで、ガイド領域４０ａの最大曲率半径は、３０ｍｍ〜５０ｍｍが好ましい。
【００２８】
次に、図９及び図１０に示すように、リム部１８の内周面のガイド領域４０ａよりも下流の領域（Ｘ２）において、リム部１８の内周面が、その底面３０ａから側面３０ｂに延びる箇所の曲率半径が洗浄水の旋回方向に沿って徐々に小さくなるように形成されている。具体的には、ガイド領域４０ａよりも下流の領域（Ｘ２）において、底面３０ａから側面３０ｂに延びる箇所の曲率半径が、最大曲率半径Ｒ２から、ほぼゼロである曲率半径Ｒ３（＝３ｍｍ）となる。
【００２９】
このリム部１８の内周面のガイド領域４０ａよりも下流の領域（Ｘ２）において、図９に示すように、リム部１８の内周面の側面３０ｂが、ほぼ鉛直に延びる鉛直面又は上方に向かって内部空間側へと傾斜する傾斜面により形成されている。
【００３０】
さらに、図７及び図８に示すように、リム部１８の内周面の上面３０ｃが、ガイド部４０が形成されているガイド領域４０ａ（Ｘ１）において、ほぼ水平に形成されている。
【００３１】
また、図２に示すように、ガイド部４０は、上述した便器本体２を前方から見てリム部１８の右側の前方領域の内周面に限らず、ボウル部１２の平面視で最小の曲率半径の領域（ボウル部１２の先端）の上流側で最大の曲率半径からより小さい曲率半径となる位置から最小の曲率半径の領域（ボウル部１２の先端）の下流側で小さな曲率半径が最大の曲率半径となる位置までの領域（Ｘ３）のリム部１８の内周面に形成してもよい。
【００３２】
次に、主に図１１及び図１２を参照して、上述した本発明の第１実施形態による水洗大便器の動作を説明する。図１１は本発明の第１実施形態による水洗大便器における洗浄水の流れの様子を示す側方から視た斜視図であり、図１２は本発明の第１実施形態による水洗大便器における洗浄水の流れの様子を示す上方から視た斜視図である。
【００３３】
使用者が操作スイッチ８をＯＮ操作すると、貯水タンク６内の洗浄水が、便器本体２の通水室２４に入り、この通水室２４から、リム通水路２６を経て、リム吐水口２８から、ボウル部１２へ吐水される。
【００３４】
リム吐水口２８から吐水された洗浄水の大部分は、先ず、第１導水路３０上を流れ、次に、ガイド部４０により、洗浄水の一部は徐々に上方に向きを変え、第１導水路３０の上面３０ｃに導かれ、上面３０ｃと衝突した後、ボウル部１２の汚物受け面１６の右側の前方領域へ落下して束となった流れ（主流Ｆ１）となり、ボウル部１２の先端より旋回方向下流側の位置である前方から排水トラップ管路１４の入口１４ａへと流れる。
【００３５】
次に、リム吐水口２８から吐水された洗浄水の残りは、第１導水路３０上を流れ、次に、第２導水路３２上を流れて、ボウル部１２内で旋回する主流Ｆ２を形成する。この主流Ｆ２は、その後、上述した主流Ｆ１と合流して、排水トラップ管路１４の入口１４ａへと流れる。
【００３６】
また、リム吐水口２８から吐水された洗浄水の一部は、第２の棚部３２上を流れるが、上方汚物受け面２０の後端領域では、第２導水路３２が形成されず、曲面形状となっているので、旋回する洗浄水の一部が、斜め後方から、凹部２２内に流入する主流Ｆ３となる。
【００３７】
次に、斜め前方から凹部２２内に流入する主流Ｆ１及びＦ２は、凹部２２の側壁に沿って流下し、前方底面３６ａに沿って流れることにより上方に向きを変え、側壁に沿って上昇し、縦旋回流Ｖを形成する。また、主流Ｆ１及びＦ２は、排水トラップ管路１４内への押し込み流を発生させる。
一方、斜め後方から凹部２２内に流入する主流Ｆ３は、凹部２２の側壁に沿ってほぼ水平方向に流れ、横旋回流Ｈを形成する。
【００３８】
このように、本実施形態による水洗大便器１においては、従来の水洗大便器のようにジェット吐水口を設けなくても、即ち、一つのリム吐水口２８のみから洗浄水を吐水しても、凹部２２内において形成された縦旋回流Ｖ及び横旋回流Ｈにより汚物を含む洗浄水を効果的に攪拌でき、汚物の排出効率を高めることができる。
なお、本実施形態による水洗大便器は、一つのリム吐水口を設けたものに限定されず、二つのリム吐水口を設けたものでもよい。
【００３９】
以下、本実施形態による水洗大便器１による作用を具体的に説明する。先ず、ガイド部が、リム部１８の内周面に形成された第１導水路３０の底面３０ａから側面３０ｂに延びる箇所の曲率半径が洗浄水の旋回方向に沿って徐々に大きくなるようにリム部１８の内周面に形成されたガイド領域３０ａ（Ｘ１）であるので、旋回する洗浄水の旋回性を大きく阻害することなく、旋回する洗浄水をオーバーハング形状のリム部１８の上面３０ｃに導き、リム部１８の上面３０ｃに衝突した洗浄水がボウル部１２の汚物受け面１６の右側の前方領域へ落下して束となった流れ（主流Ｆ１）となり、斜め前方から排水トラップ管路１４の入口１４ａへと流れる。
【００４０】
リム部１８の内周面のガイド領域３０ａよりも下流の領域（Ｘ２）において、リム部１８の内周面の第１導水路３０が、その底面３０ａから側面３０ｂに延びる箇所の曲率半径が洗浄水の旋回方向に沿って小さくなるように形成されているので、旋回する洗浄水の旋回性を大きく阻害することなく、旋回する洗浄水をオーバーハング形状のリム部１８の上面３０ｃに導き、リム部１８の上面に衝突した洗浄水がボウル部１２の汚物受け面１６の右側の前方領域へ落下して束となった流れ（主流Ｆ１）となり、斜め前方から排水トラップ管路１４の入口１４ａへと流れる。
【００４１】
リム部１８の内周面のガイド領域３０ａよりも下流の領域（Ｘ２）において、リム部１８の内周面の第１導水路３０は、その側面３０ｂがほぼ鉛直に延びる鉛直面又は上方に向かって内部空間側へと傾斜する傾斜面により形成されているので、ガイド部３０によりリム部１８の上面３０ｃに衝突した洗浄水がボウル部１２の汚物受け面１６の右側の前方領域へ落下して束となった流れ（主流Ｆ１）となり、斜め前方から排水トラップ管路１４の入口１４ａへと流れる。
【００４２】
リム部の内周面の第１導水路３０は、その上面３０ｃが、ガイド部３０が形成されているガイド領域３０ａ（Ｘ１）において、ほぼ水平に形成されているので、ガイド部３０により上面３０ｃに導かれた洗浄水がボウル部１２の汚物受け面１６の右側の前方領域へ落下して束となった流れ（主流Ｆ１）となり、斜め前方から排水トラップ管路１４の入口１４ａへと流れる。
【００４３】
ガイド部が、ボウル部１２の平面視で最小の曲率半径の領域（ボウル部１２の先端）の上流側で最大の曲率半径からより小さい曲率半径となる位置から最小の曲率半径の領域（ボウル部１２の先端）の下流側で小さな曲率半径が最大の曲率半径となる位置までの所定領域（Ｘ３）に形成された場合には、最小の曲率半径の領域であるボウル部の前方側から排水トラップ管路１４の入口１４ａへと流れる束となった流れを容易に形成することができる。
【００４４】
上述したように、ボウル部１２の左側にリム吐水口２８が形成され、ボウル部１２の左側にガイド部３０が形成され、リム吐水口２８から吐水された洗浄水がボウル部１２の先端を経由した後、ガイド部へ旋回するように形成されているので、リム吐水口２８とガイド部４０との距離が短くなり、それにより、吐水された水勢が強く運動エネルギーの大きいまとまった束の流れをリム部１８の上面３０ｃに導き、衝突させてボウル部の右側前方領域から排水トラップ管路１４の入口１４ａに向けて勢い良く落下させることができる。これにより、より効果的に、束となった流れ（主流Ｆ１）を形成することができ、斜め前方から排水トラップ管路１４の入口へと流すことができる。
【００４５】
次に、図１３乃至図１６により、本発明の第２実施形態による水洗大便器を説明する。図１３は本発明の第２実施形態による水洗大便器を示す平面図であり、図１４は図１３のXIV−XIV線に沿って見た水洗大便器の断面図であり、図１５は図１３のXV−XV線に沿って見た水洗大便器の部分断面図であり、図１６は図１５のXVI−XVI線に沿って見た水洗大便器の部分断面図である。
【００４６】
本実施形態においては、上述したガイド部４０に相当するガイド部５０が、ボウル部１２の右側の後方側領域の汚物受け面１６（上方汚物受け面２０）の表面に形成されている。このガイド部５０は、リム吐水口２８から吐水された洗浄水がリム部１８の内周面の第１導水路３０の上面３０ｃに向かう（上方に向かってジャンプする）ように上方に向かって傾斜した傾斜面５０ａである。さらに、この傾斜面５０ａの下流側には連続して連続面５２が形成され、この連続面５２により、汚物受け面１６との境目が滑らかになるようになっている。
【００４７】
この第２実施形態による水洗大便器１においては、ガイド部５０がボウル部１２の後方側領域の汚物受け面１６に形成され、リム吐水口２８から吐水された洗浄水がリム部１８の第１導水路３０の上面３０ｃに向かうように傾斜した傾斜面５０ａであるので、旋回する洗浄水の旋回性を大きく阻害することなく、旋回する洗浄水をオーバーハング形状のリム部１８の上面３０ｃに導き、リム部１８の上面３０ｃに衝突した洗浄水をボウル部１２の汚物受け面１６の後方領域に落下して束となった流れ（主流Ｆ４）となり、背部から排水トラップ管路１４の入口１４ａへと流れる。
【００４８】
この第２実施形態による水洗大便器１においても、従来の水洗大便器のようにジェット吐水口を設けなくても、即ち、リム吐水口２８のみから洗浄水を吐水しても、上述した第１実施形態による水洗大便器と同様に、凹部２２内において形成された縦旋回流Ｖ及び横旋回流Ｈにより汚物を含む洗浄水を効果的に攪拌でき、汚物の排出効率を高めることができる。
【００４９】
本発明においては、上述した第１実施形態による水洗大便器に設けられたガイド部４０と第２実施形態による水洗大便器に設けられたガイド部５０を併用するようにしても良い。
【符号の説明】
【００５０】
１  水洗大便器
２  便器本体
６  貯水タンク
１２  ボウル部
１４  排水トラップ管路
１６  汚物受け面
１８  リム部
２０  上方汚物受け面
２２  凹部
２６  リム通水路
２８  リム吐水口
３０  第１導水路
３０ａ  底面
３０ｂ  側面
３０ｃ  上面
３２  第２導水路
３４  壁面
３６  底面
４０、５０  ガイド部
Ｆ１，Ｆ２、Ｆ３，Ｆ４  主流
Ｒ１，Ｒ２  ガイド部の曲率半径
Ｘ１  ガイド領域
Ｘ２  ガイド領域の下流領域
Ｘ３  ガイド領域
Ｈ  横旋回流
Ｖ  縦旋回流
Ｌ  溜水水位
【図１】
2015196959.tif 000003
【図２】
2015196959.tif 000004
【図３】
2015196959.tif 000005
【図４】
2015196959.tif 000006
【図５】
2015196959.tif 000007
【図６】
2015196959.tif 000008
【図７】
2015196959.tif 000009
【図８】
2015196959.tif 000010
【図９】
2015196959.tif 000011
【図１０】
2015196959.tif 000012
【図１１】
2015196959.tif 000013
【図１２】
2015196959.tif 000014
【図１３】
2015196959.tif 000015
【図１４】
2015196959.tif 000016
【図１５】
2015196959.tif 000017
【図１６】
2015196959.tif 000018